(57)【特許請求の範囲】
【請求項１】
入口と出口とを形成した本体に蓋部材を取り付けて内部に前記入口と前記出口とが開口する変圧室を形成し、
前記入口及び前記出口の前記変圧室側開口端に内輪弁座と外輪弁座とを形成し、
前記内輪弁座に前記入口と前記変圧室とを連通する入口通路を形成し、
前記内輪弁座と前記外輪弁座との間に環状溝を形成して、前記環状溝の一部から前記変圧室と前記出口とを連通する出口通路を形成し、
前記内輪弁座と前記外輪弁座とに離着座する弁ディスクを前記変圧室に配置し、
前記出口通路に一枚の平板状の転動部材を配置し、前記転動部材の上端に前記環状溝に位置して前記環状溝と前記出口通路との接続部の段部で下方への変位を規制される大形部を設け、
前記転動部材の下端に前記出口通路よりも下流の前記出口側に位置して前記出口通路の終端周囲壁で上方への変位を規制されるとともに前記出口の奥壁で前記入口向きの回転を規制される前記出口向きの屈曲部を設けたことを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に、流体中の異物が付着堆積して出口通路を閉鎖してしまうことを防止できるようにしたものに関する。
【背景技術】
【０００２】
従来のディスク式スチームトラップは、例えば特許文献１に開示されている。これは、入口と出口とを形成した本体に蓋部材を取り付けて内部に入口と出口とが開口する変圧室を形成し、入口及び出口の変圧室側開口端に内輪弁座と外輪弁座とを形成し、内輪弁座に入口と変圧室とを連通する入口通路を形成し、内輪弁座と外輪弁座との間に環状溝を形成して、該環状溝の一部から変圧室と出口とを連通する出口通路を形成し、内輪弁座と外輪弁座とに離着座する弁ディスクを変圧室に配置し、出口通路に２本の転動部材を配置し、転動部材の上端に環状溝に位置して環状溝と出口通路との接続部の段部で下方への変位を規制される外向きの屈曲部を設け、転動部材の下端に出口通路よりも下流の出口側に位置して出口通路の終端周囲壁で上方への変位を規制される有頭の円錐状の逆止弁部を設けたものである。
【先行技術文献】
【特許文献】
【０００３】
【特許文献１】特開平６−９４１９１号公報
【発明の概要】
【発明が解決しようとする課題】
【０００４】
上記従来のディスク式スチームトラップは、出口通路に付着堆積する異物を２本の転動部材により除去するものであるので、構造が複雑となる問題点があった。【０００５】
したがって本発明が解決しようとする課題は、簡単な構造で出口通路に付着堆積する異物を除去できるディスク式スチームトラップを提供することである。
【課題を解決するための手段】
【０００６】
上記の課題を解決するために、本発明のディスク式スチームトラップは、入口と出口とを形成した本体に蓋部材を取り付けて内部に前記入口と前記出口とが開口する変圧室を形成し、前記入口及び前記出口の前記変圧室側開口端に内輪弁座と外輪弁座とを形成し、前記内輪弁座に前記入口と前記変圧室とを連通する入口通路を形成し、前記内輪弁座と前記外輪弁座の間に環状溝を形成して、前記環状溝の一部から前記変圧室と前記出口とを連通する出口通路を形成し、前記内輪弁座と前記外輪弁座とに離着座する弁ディスクを前記変圧室に配置し、前記出口通路に一枚の平板状の転動部材を配置し、前記転動部材の上端に前記環状溝に位置して前記環状溝と前記出口通路の接続部の段部で下方への変位を規制される大形部を設け、前記転動部材の下端に前記出口通路よりも下流の前記出口側に位置して前記出口通路の終端周囲壁で上方への変位を規制されるとともに前記出口の奥壁で前記入口向きの回転を規制される前記出口向きの屈曲部を設けたことを特徴とするものである。
【発明の効果】
【０００７】
本発明によれば、出口通路に一枚の平板状の転動部材を配置し、転動部材の上端に環状溝に位置して環状溝と出口通路の接続部の段部で下方への変位を規制される大形部を設け、転動部材の下端に出口通路よりも下流の出口側に位置して出口通路の終端周囲壁で上方への変位を規制されるとともに出口の奥壁で入口向きへの回転を規制される出口向きの屈曲部を設けたことにより、簡単な構造で出口通路に付着堆積する異物を除去できるという優れた効果を生じる。
【図面の簡単な説明】
【０００８】
【図１】本発明の実施の形態に係わるディスク式スチームトラップの断面図である。
【図２】図１の転動部材の右側面図である。
【図３】図１のIII−III線断面図である。
【発明を実施するための形態】
【０００９】
以下、本発明の実施の形態について、図１乃至図３を参照して説明する。図１は、本発明の実施の形態に係わるディスク式スチームトラップの断面図である。図２は、図１の転動部材の右側面図である。図３は、図１のIII−III線断面図である。
【００１０】
本体１に同一軸上に入口５と出口１１を形成し、この入口５及び出口１１と連通する変圧室３を蓋部材２と本体１とで形成する。入口５と出口１１の変圧室３側開口端に内輪弁座７と外輪弁座８を同心円状で同一平面に形成してその間に環状溝６を形成する。内外輪弁座７，８に離着座する円板状の弁ディスク１２を変圧室３内に配置する。入口５と変圧室３は内輪弁座７に形成した入口通路４を介して連通し、変圧室３と出口１１は環状溝６の一部から形成した出口通路１０を介して連通する。
【００１１】
出口通路１０に一枚の平板状の転動部材１５を配置する。転動部材１５は、頭部（大形部）１５ａ、脚部（屈曲部）１５ｂ及び胴体部１５ｃを含む。頭部１５ａは、脚部１５ｂ及び胴体部１５ｃよりも幅寸法の大きな大形部を構成する。頭部（大形部）１５ａは、環状溝６に位置して環状溝６と出口通路１０との接続部である段部９で下方への変位を規制する。頭部（大形部）１５ａは、上端部１５ａ１と湾曲部１５ａ２とを含み、上端部１５ａ１から湾曲部１５ａ２を介して胴体部１５ｃと接続している。流体が流れていない状態において、湾曲部１５ａ２は、段部９と出口通路１０との間の角部９ａと二点で接している。なお、頭部（大形部）１５ａの形状は、上記のものには限定されず、例えば湾曲部１５ａ２を傾斜部や直角部で構成してもよい。
【００１２】
また、脚部（屈曲部）１５ｂは、出口通路１０よりも下流の出口１１側に位置して出口通路１０の終端周囲壁１４で上方への変位を規制するとともに出口１１の奥壁１６で入口５向きへの回転を規制し、例えばその先端が出口１１の側に向くように（図１及び図３）設置される。転動部材１５は出口１１向きの脚部（屈曲部）１５ｂに出口１１に流下する排出流体が衝突することにより転動せしめられ、頭部（大形部）１５ａの湾曲部１５ａ２が環状溝６と出口通路１０との接続部の段部９（特に角部９ａの付近）に付着堆積する異物を除去する。
【００１３】
上記実施例の作動を説明する。入口通路４を介して弁ディスク１２に作用する入口５側の流体圧力により、弁ディスク１２は内外輪弁座７，８から離座開弁し、復水を環状溝６、出口通路１０を通して出口２に排出する。このとき、転動部材１５は出口１１向きの屈曲部１５ｂに出口１１に流下する排出流体が衝突することにより転動せしめられ、大形部１５ａが環状溝６と出口通路１０の接続部の段部９に付着堆積する異物を除去する。
【００１４】
復水が排出されて蒸気が内外輪弁座７，８と弁ディスク１２との間を高速に通過することによって内外輪弁座７，８と弁ディスク１２との間の圧力が低下し、また蒸気が変圧室３に流れ込み変圧室３の圧力が上昇することによって、弁ディスク１２が内外輪弁座７，８に着座閉弁する。そして、変圧室３内の蒸気が放熱等により凝縮しその蒸気圧力が低下してくると、弁ディスク１２は内外輪弁座７，８から離座開弁する。このような開閉弁のサイクルを繰り返す。
【産業上の利用可能性】
【００１５】
本発明は、蒸気配管系に発生する復水を自動的に排出するディスク式スチームトラップに利用することができる。
【符号の説明】
【００１６】
１  本体
２  蓋部材
３  変圧室
４  入口通路
５  入口
６  環状溝
７  内輪弁座
８  外輪弁座
９  環状溝と出口通路の接続部の段部
１０  出口通路
１１  出口
１２  弁ディスク
１４  出口通路の終端周囲壁
１５  転動部材
１５ａ  転動部材の頭部（大形部）
１５ｂ  転動部材の脚部（出口向きの屈曲部）
１５ｃ  転動部材の胴体部
１６  出口の奥壁
【要約】
環状溝６の一部から変圧室３と出口１１とを連通する出口通路１０に一枚の平板状の転動部材１５を配置し、転動部材１５の上端に環状溝６に位置して環状溝６と出口通路１０の接続部の段部９で下方への変位を規制される大形部１５ａを設け、転動部材１５の下端に出口通路１０よりも下流の出口１１側に位置して出口通路１０の終端周囲壁１４で上方への変位を規制されるとともに出口１１の奥壁１６で入口５向きの回転を規制される出口１１向きの屈曲部１５ｂを設ける。【図１】
0005390050.tif 000002
【図２】
0005390050.tif 000003
【図３】
0005390050.tif 000004